(57)【要約】【課題】ユーザ毎にカスタマイズされた画面を有する画像処理システムにおいて、新しいユーザサービスが追加されたときに、当該ユーザサービスが従来のようにカスタマイズ画面に一律に追加されることによる利便性の低下を防止する。【解決手段】  ユーザ毎の画面カスタマイズを行う画面カスタマイズ手段２０３と、新規ユーザサービスを当該画像処理システムに追加する新規ユーザサービス追加手段２０２と、前記追加された新規ユーザサービスのカスタマイズ画面への追加の要否を選択する追加要否選択手段２０１と、を備えた画像処理システム。【選択図】図２
2014128009.tif 000002
【特許請求の範囲】
【請求項１】
ユーザ毎の画面カスタマイズを行う画面カスタマイズ手段と、
新規ユーザサービスを当該画像処理システムに追加する新規ユーザサービス追加手段と、
前記追加された新規ユーザサービスのカスタマイズ画面への追加の要否を選択する追加要否選択手段と、を備えた画像処理システム。
【請求項２】
請求項１に記載された画像処理システムにおいて、
ユーザを認証するユーザ認証手段と、
ユーザサービスの利用を、権限を認められたユーザにのみに制限する利用制限手段と、
を備えた画像処理システム。
【請求項３】
請求項１又は２に記載された画像処理システムにおいて、
前記追加要否選択手段を要又は否に設定する要否設定手段を備えた画像処理システム。
【請求項４】
請求項３に記載された画像処理システムにおいて、
前記追加要否選択手段の前記否の設定を禁止する設定禁止手段を備えた画像処理システム。
【請求項５】
請求項２に記載された画像処理システムにおいて、
互いに電気的に接続された操作部と画像処理装置本体とから成り、
前記新規ユーザサービス追加手段、前記追加要否選択手段、前記画面カスタマイズ手段は、前記操作部に、
前記ユーザ認証手段、前記利用制限手段は前記画像処理装置本体に備えた画像処理システム。
【請求項６】
画像処理システムにおける画像処理方法であって、
ユーザ毎の画面カスタマイズを行う画面カスタマイズ工程と、
提供される新規ユーザサービスを、当該画像処理システムに追加する新規ユーザサービス追加工程と、
追加された前記新規ユーザサービスのカスタマイズ画面への追加の要否を選択する追加要否選択工程と、を有する画像処理方法。
【請求項７】
請求項６に記載された画像処理方法において、
ユーザを認証するユーザ認証工程と、
ユーザサービスの利用を、権限を認められたユーザにのみ制限する利用制限工程と、を有する画像処理方法。
【発明の詳細な説明】
【技術分野】
【０００１】
本発明は、新規ユーザサービス追加に対してユーザカスタマイズ画面に追加することの要否を選択できるようにした、画像処理システム及び画像処理方法に関する。
【背景技術】
【０００２】
ユーザのログインが確認されると、そのユーザに応じたカスタマイズ画面を表示する技術が既に知られている。また、ユーザから入力されたユーザ識別情報に基づいて、ユーザに対しユーザサービスを提供するかどうかを決定する技術も既に知られている。
しかし、これら従来の技術では、新しいアプリケーションがインストールされた時に、そのユーザサービスは、権限のある認証されたユーザの画面に一律に表示されていた。
【０００３】
しかし、ユーザ毎にカスタマイズされた画面を有するシステムにおいては、各ユーザにとって新しく追加されたユーザサービスが必要かどうかは一意には決まらない。そのため、当該ユーザサービスが必要でないユーザにとっては、新しく追加されたユーザサービスがユーザの画面に一律に表示されると、ユーザカスタマイズされた画面の利便性が却って低下するという問題がある。
【０００４】
特許文献１（特開2008-258893号公報）には、ユーザ毎のカスタマイズ画面を表示する目的で、ユーザ情報に基づき、ログインユーザが画像処理装置の使用が許可された使用許可ユーザかどうかの認証を行い、ログインユーザが使用許可ユーザであると認証されたときに、ログインユーザに応じたカスタマイズ画面を表示部に表示する画像処理装置が開示されている。
【０００５】
特許文献２（特開2003-229986号公報）には、全てのユーザが無制限に、プリンタ、コピー、スキャナ、ファクシミリなどの全ての機能を利用するのを防ぐ目的で、データベースに登録されたユーザ識別情報と、ユーザから入力されたユーザ識別情報とに基づいて、ユーザに対しユーザサービスを提供するかどうかを決定する画像形成装置が開示されている。
【０００６】
これらの従来技術は、本発明とは、ユーザ毎に当該ユーザのカスタマイズ画面を提供する点、及びユーザサービスの利用権限を判定し、権限のあるユーザにのみにサービスの提供を行う点では類似している。しかし、これらの従来技術では、新しいアプリケーションがインストールされた時に、そのユーザサービスが権限のあるユーザの画面に一律に追加されるため、前記従来の問題は解消できていない。
【発明の概要】
【発明が解決しようとする課題】
【０００７】
本発明は、前記従来の問題に鑑みてなされたものであって、その目的は、ユーザ毎にカスタマイズされた画面を有する画像処理システムにおいて、新しいユーザサービスが追加されたときに、当該ユーザサービスが従来のようにカスタマイズ画面に一律に追加されることによる利便性の低下を防止することである。
【課題を解決するための手段】
【０００８】
本発明は、ユーザ毎の画面カスタマイズを行う画面カスタマイズ手段と、新規ユーザサービスを当該画像処理システムに追加する新規ユーザサービス追加手段と、前記追加された新規ユーザサービスのカスタマイズ画面への追加の要否を選択する追加要否選択手段と、を備えた画像処理システムである。
【発明の効果】
【０００９】
ユーザ毎にカスタマイズされた画面を有する画像処理システムにおいて、新しいユーザサービスが追加されたときに、ユーザに、当該ユーザサービスを追加するかどうかを選択させることで、従来のように、当該ユーザサービスがカスタマイズ画面に一律に追加されることによる利便性の低下を防止することができる。
【図面の簡単な説明】
【００１０】
【図１】本発明の実施形態に係る複合機（ＭＦＰ）の全体構成について説明する機能ブロック図である。
【図２】ＭＦＰ本体と操作部の構成について説明するブロック図である。
【図３】新規ユーザサービス追加時における、新規ユーザサービス追加手段による新規ユーザサービス追加時の処理手順を示すフロー図である。
【図４】図３のフロー図に示すステップＳ１０３におけるユーザ毎のステータスを表にまとめたものである。
【図５】図３のフロー図に示す処理の結果を、各ユーザ毎に表にまとめたものである。
【図６】新規ユーザサービス追加時のユーザログイン時における新規ユーザサービス追加手段による処理手順を示すフロー図である。
【図７】図６のフロー図に示す処理の結果をユーザ毎にまとめた表である。
【図８】新規ユーザサービス追加判定処理の手順を示すフロー図である。
【発明を実施するための形態】
【００１１】
次に、本発明の実施の形態に係る画像処理システムとしての画像処理装置を説明する。本発明は、ユーザサービス追加時の動作に際して、以下の特徴を有する。
要するに、新しいユーザサービスが追加された場合、サービス利用権限のあるユーザに、ユーザカスタマイズ画面にユーザサービスを追加するかどうかを選択させることが特徴になっている。
上記記載の本発明の特徴について、以下の図面を用いて詳細に説明する。
【００１２】
図１は、画像処理システムの実施形態として、ここではいわゆる複合機（以下、ＭＦＰという）１の全体構成について説明する機能ブロック図である。
本実施形態に係るＭＦＰ１は、機能を提供するＭＰＦ本体１０とＵＩ（ユーザインタフェース）の表示を行う操作部２０とから成る。ＭＰＦ本体１０には、ＯＳ(Operating System)層１６と、読み取り、印刷などの機器のデバイス制御を司るサービス層１４と、コピー機能、スキャン機能などの機能を提供するアプリ層１２に分離して設けられている。
【００１３】
操作部２０は、ＭＦＰ本体１０の機能の操作を行うためのＵＩ機能を提供する。ＭＦＰ本体１０と操作部２０は、専用の制御線と電源線３５で結ばれており、操作部２０からコマンド通信を行い、ＭＦＰ本体１０の機能を使用することができるようになっている。
操作部２０にも、ＯＳ層２６と、ＵＩの表示パネルなどのデバイス制御（又は管理）を司るサービス層２４とコピー機能、ＵＩ機能を提供するアプリ層２２に分離して設けられている。
また、操作部２０への電源は、ＭＦＰ本体１０から供給されており、ＭＦＰ本体１０の電源制御とは独立して動作が可能となっている。
【００１４】
ここで、ＭＦＰ本体１０と、操作部２０の機能の独立性を保つために、ＭＦＰ本体１０と操作部２０は、図示のように別々のオペレーティングシステムで動作する。また、操作部２０のアプリケーションが制御線３５を介してＭＦＰ本体１０に接続されてアプリケーションの操作データの送信を行い、操作部２０がＭＦＰ本体１０の機能を利用して動作することが可能なシステムとなっている。なお、ＭＦＰ本体１０と操作部２０は電気的に接続されていればよく、例えば無線で接続するものであってもよい。図示例のように、操作部２０は、この操作部２０に備えられた無線ＬＡＮ３０を利用することにより、無線ＬＡＮＡＰ（アクセスポイント）３２を介してＭＦＰ本体１０に接続されるものであってもよい。
【００１５】
図２は、ＭＦＰ本体１０と操作部２０の構成について説明するブロック図である。
図示のように、操作部２０には、新規ユーザサービスのユーザカスタマイズ画面への追加要否選択手段２０１と、新規ユーザサービス追加手段２０２と、画面カスタマイズ手段２０３が備えられている。
ここでは、新規ユーザサービスのユーザカスタマイズ画面への追加要否選択手段２０１は、例えば図示しないサーバからの新規ユーザサービスの追加時に、各ユーザに対して、カスタマイズ画面への新規サービス追加を行うかどうかを選択させる手段を提供する。
【００１６】
新規ユーザサービス追加手段２０２は、新規ユーザサービスの追加を行なう手段であり、例えば図示しないサーバから新規ユーザサービスが追加されたことを検知すると、新規ユーザサービスのユーザカスタマイズ画面への追加要否選択手段２０１に通知する。
【００１７】
画面カスタマイズ手段２０３は、画面をユーザの好みに合わせて作り変える画面カスタマイズを行う手段であって、新規ユーザサービスのアプリアイコン（アプリケーションアイコン）をユーザのホーム画面に追加するなどの処理を行う。
【００１８】
ＭＦＰ本体１０には、ユーザ認証手段１０１と利用制限手段１０２が備えられている。
ここで、ユーザ認証手段１０１は、ユーザを例えばユーザ名とパスワードで認証し、ログイン、ログアウト処理などを行う。
利用制限手段１０２は、例えば、ユーザ名およびパスワードによって識別されたシステム上のユーザＩＤと、磁気カードなどの物理的認証ＩＤとの組み合わせにより、物理的認証ＩＤからユーザＩＤを求め、正当な利用権限があるかどうかを確認する。或いはユーザデータベースに、ユーザ毎に、利用可能なユーザサービスを示す利用権限情報を登録しておき、前記利用権限情報に基づいて、ログインユーザに対して、サービスの利用権限があるかどうかを判定する。
操作部２０の前記各手段及びＭＦＰ本体１０の前記各手段は、それぞれのコンピュータにプログラムを読み取らせることで実現される機能実現手段として構成されている。
【００１９】
次に、本実施形態に係るＭＦＰ１の新規ユーザサービスが追加されたときの制御手順を、図面を参照して説明する。この制御手順の開始は、「新規ユーザサービス追加」が起点になる場合と、「ユーザログイン」が起点になる場合の２パターンがある。
図３は、このうち、新規ユーザサービス追加時における、新規ユーザサービス追加手段２０２による新規ユーザサービス追加時の処理手順を示すフロー図である。
【００２０】
図３においては、まず、ＭＦＰ１に新規ユーザサービスが追加されると（Ｓ１０１）次に、ユーザログイン中かどうかを判定する（Ｓ１０２）。ここで、ユーザログイン中であれば（Ｓ１０２、ＹＥＳ）、ユーザに前記新規ユーザサービスの利用権限があるかどうかを判断する（Ｓ１０４）。利用権限があれば（Ｓ１０４、ＹＥＳ）、次に、後述の図８に示す新規ユーザサービス追加判定処理に進み（Ｓ１０５）、ユーザの新規ユーザサービス追加判定待ち状態を「判定済み」、つまり、利用権限に基づき追加可として「判定済み」にして（Ｓ１０６）、この処理を終了する。
【００２１】
ステップＳ１０４で、ユーザに前記新規ユーザサービスの利用権限がなければ（Ｓ１０４、ＮＯ）、そのまま何もせずに、ユーザの新規ユーザサービス追加判定待ち状態を「判定済み」にして（Ｓ１０６）、つまりユーザに当該サービスの利用権限がないので、追加不可として判定してこの処理を終了する。
ステップＳ１０２で、ユーザログイン中でなければ（Ｓ１０２、ＮＯ）、ユーザの新規ユーザサービス追加判定待ち状態を「判定待ち」にして（Ｓ１０３）この処理を終了する。
【００２２】
図４は、図３のフロー図に示すステップＳ１０３におけるユーザ毎のステータスを表にまとめたものである。ユーザ０１〜ユーザ０３・・・は、新規サービス（１）に対して、いずれも追加判定待ちの状態にあることが示されている。
図５は、図３のフロー図に示す処理の結果を、各ユーザ毎に表にまとめたものである。ここでは、新規サービス（１）に対して、ユーザ０２は追加判定待ちから判定済みになり、他のユーザ０１、０３は追加判定待ちの状態であることが示されている。
【００２３】
図６は、新規ユーザサービス追加時のユーザログイン時における新規ユーザサービス追加手段２０２による処理手順を示すフロー図である。
即ち、まずユーザがユーザログインすると（Ｓ２０１）、次に、ログインユーザが新規ユーザサービス追加判定待ち状態が「判定待ち」かどうかを判定する（Ｓ２０２）。ここで、ユーザが判定待ちであれば（Ｓ２０２、ＹＥＳ）、ユーザに利用権限があるかどうか判定する（Ｓ２０３）。ここで、利用権限があれば（Ｓ２０３、ＹＥＳ）、後述の図８に示す新規ユーザサービス追加判定処理に進み（Ｓ２０５）、ユーザの新規ユーザサービス追加判定待ち状態を「判定済み」にして（Ｓ２０４）、この処理を終了する。
【００２４】
ステップＳ２０３で利用権限がなければ（Ｓ２０３、ＮＯ）、ユーザの新規ユーザサービス追加判定待ち状態を「判定済み」にして（Ｓ２０４）、この処理を終了する。
なお、ステップ２０２で、ログインユーザが新規ユーザサービス追加判定待ち状態が「判定待ち」でなければ（Ｓ２０２、ＮＯ）、何もせずに処理を終了する。
図７は、図６のフロー図に示す処理の結果をユーザ毎にまとめた表である。
ここでは、新規サービス（１）に対して、ユーザ０２は追加判定待ちから判定済みになり、他のユーザ０１、０３は追加判定待ちの状態であることが示されている。
【００２５】
次に、新規ユーザサービスのユーザカスタマイズ画面（ホーム画面）への追加要否選択手段２０１による、新規ユーザサービス追加判定処理について説明する。
図８は、新規ユーザサービス追加判定処理の手順を示すフロー図である。
まず、利用権限のある、つまり、図３のステップＳ１０４又は図６のステップＳ２０３で利用権限があると判定されたログインユーザに対し、新規ユーザサービスをカスタマイズ画面に追加するかどうか問い合わせる（Ｓ３０１）。ここで、ユーザにより「追加する」が選択されたときは（Ｓ３０２、ＹＥＳ）、新規ユーザサービスを画面に追加して（Ｓ３０３）、この処理を終了する。
ステップＳ３０２で、ユーザにより「追加する」が選択されないときは（Ｓ３０２、ＮＯ）、何もせずにこの処理を終了する。
【００２６】
なお、以上の説明では、ログインユーザに対して、新規ユーザサービスを追加するかどうかその都度問い合わせている。しかし、操作部２０に新規ユーザサービスを追加の要又は否を設定する要否設定手段を設けて、例えば、新規ユーザサービスのユーザカスタマイズ画面への追加要否選択手段２０１で「要」を設定して常に追加するようにしてもよい。これにより、とくにホーム画面のカスタマイズを行っておらず、追加された機能は全て利用したいとするユーザにとっては、新規ユーザサービス追加毎に余計な処理ステップが増えるという問題を解消することができる。
また、以上の説明では、追加要否選択をログインユーザに任せているが、本発明はこれに限定されない。例えば、操作部２０に新規ユーザサービスのユーザカスタマイズ画面への追加要否選択手段２０１の前記「否」の設定を禁止する設定禁止手段を設けて、システムの管理者（ここで云う権限を認められたユーザに含まれる）が新規ユーザサービス追加時に、各ユーザの追加要否選択を禁止することができるようにしてもよい。これにより、無条件で機能追加させることができるため、全ユーザに必要なサービスが追加されたとき、ユーザによっては追加されない状況が発生する問題を解消することができる。
【００２７】
なお、以上の説明では、新規ユーザサービスの追加を操作部２０に追加するものとして説明したが、本発明は、これに限らず、ＭＦＰ本体１０に追加するものであってもよい。
【００２８】
また、以上の説明では、画像処理装置が新規ユーザサービスの追加に関する処理を行う構成要件を全て備えたものとして説明したが、本発明はこれに限定されず、例えば１つまたは複数の構成要件が他のサーバ上で実行されるものであってもよい。
【符号の説明】
【００２９】
１・・・ＭＦＰ、１０・・・ＭＦＰ本体、１２・・アプリ層、１４・・・サービス層、１６・・・ＯＳ層、２０・・・操作部、２２・・アプリ層、２４・・・サービス層、２６・・・ＯＳ層、３０・・・無線ＬＡＮ、３２・・・無線ＬＡＮＡＰ、１０１・・・ユーザ認証手段、１０２・・・利用制限手段、２０１・・・新規ユーザサービスのユーザカスタマイズ画面への追加要否選択手段、２０２・・・新規ユーザサービス追加手段、２０３・・・画面カスタマイズ手段。
【先行技術文献】
【特許文献】
【００３０】
【特許文献１】特開２００８−２５８８９３号公報
【特許文献２】特開２００３−２２９９８６号公報
【図１】
2014128009.tif 000003
【図２】
2014128009.tif 000004
【図３】
2014128009.tif 000005
【図４】
2014128009.tif 000006
【図５】
2014128009.tif 000007
【図６】
2014128009.tif 000008
【図７】
2014128009.tif 000009
【図８】
2014128009.tif 000010